(57)【要約】      （修正有）【課題】マニュアルでシグナルを帰属する効率を上げることができ、部分的に自動化された機能と併用することで帰属の正しさを迅速に確認し、あるいは帰属の誤りを迅速に見出せるＮＭＲ構造解析システム，方法およびプログラムを提供すること。【解決手段】主鎖シグナル帰属用モジュール２０、側鎖シグナル帰属用モジュール３０および構造計算評価モジュール５０は、残基番号および原子タイプを指定した後、指定された残基番号および原子タイプに合わせてスペクトル領域の表示を連動させるシンクジャンプ命令（本発明のスペクトル連動表示命令）を発生させ、スペクトルビューアー１０およびモレキュラービュアー６０に対して出力する機能を有している。このシンクジャンプ命令を入力すると、スペクトルビューアー１０は、指定された残基番号および原子タイプに合わせて該当するスペクトル領域を連動させてストリップ表示する。【選択図】図２−１
2005180979.tif 000002
【特許請求の範囲】
【請求項１】
ＮＭＲスペクトルのスペクトル領域を表示するスペクトル表示手段と、タンパク質の主鎖系シグナルの帰属処理を行う主鎖シグナル帰属手段と、タンパク質の側鎖系シグナルの帰属処理を行う側鎖シグナル帰属手段と、核オーバーハウザー効果（ＮＯＥ）シグナルの帰属処理を行うＮＯＥ帰属手段と、ＮＯＥ帰属手段の帰属処理で生成されたＮＯＥ情報に基づいて立体構造計算および評価を行う立体構造計算評価手段と、立体構造計算評価手段により得られた分子の立体構造を３次元的に表示する分子構造表示手段とを少なくとも有し、核磁気共鳴法（ＮＭＲ）を用いてタンパク質の立体構造を決定するＮＭＲ構造解析システムにおいて、
構造解析に使用する各スペクトルの有するシグナル毎に、固有のＩＤ番号、残基番号、原子タイプおよび化学シフト値といったＮＭＲ情報に基づく値を記憶した記憶手段をさらに備え、
前記主鎖シグナル帰属手段、側鎖シグナル帰属手段および立体構造計算評価手段は、前記残基番号および原子タイプを指定した後、指定された残基番号および原子タイプに合わせてスペクトル領域の表示を連動させるスペクトル連動表示命令を前記スペクトル表示手段および分子構造表示手段に対して出力する機能を有し、
前記スペクトル表示手段は、前記スペクトル連動表示命令を入力すると、前記指定された残基番号および原子タイプに合わせて該当するスペクトル領域を連動させて表示し、
前記分子構造表示手段は、前記スペクトル連動表示命令を入力すると、前記指定された残基番号および原子タイプに連動させて、分子構造の該当する結合部位を表示領域の中心に表示することを特徴とするＮＭＲ構造解析システム。
【請求項２】
２次元スペクトルおよび３次元スペクトルのスペクトル領域を表示するスペクトル表示手段と、タンパク質の主鎖系シグナルの帰属処理を行う主鎖シグナル帰属手段と、タンパク質の側鎖系シグナルの帰属処理を行う側鎖シグナル帰属手段と、核オーバーハウザー効果（ＮＯＥ）シグナルの帰属処理を行うＮＯＥ帰属手段と、ＮＯＥ帰属手段の帰属処理で生成されたＮＯＥ情報に基づいて立体構造計算および評価を行う立体構造計算評価手段と、立体構造計算評価手段により得られた分子の立体構造を３次元的に表示する分子構造表示手段とを少なくとも有し、核磁気共鳴法（ＮＭＲ）を用いてタンパク質の立体構造を決定するＮＭＲ構造解析システムにおいて、
構造解析に使用する各スペクトルの有するシグナル毎に、固有のＩＤ番号、残基番号、原子タイプおよび化学シフト値といったＮＭＲ情報に基づく値を記憶した記憶手段をさらに備え、
前記主鎖シグナル帰属手段、側鎖シグナル帰属手段および立体構造計算評価手段は、前記残基番号および原子タイプを指定した後、指定された残基番号および原子タイプに合わせてスペクトル領域の表示を連動させるスペクトル連動表示命令を前記スペクトル表示手段および分子構造表示手段に対して出力する機能を有し、
前記スペクトル表示手段は、前記スペクトル連動表示命令を入力すると、前記指定された残基番号および原子タイプに合わせて該当するスペクトル領域を連動させて表示し、
前記分子構造表示手段は、前記スペクトル連動表示命令を入力すると、前記指定された残基番号および原子タイプに連動させて、分子構造の該当する結合部位を表示領域の中心に表示することを特徴とするＮＭＲ構造解析システム。
【請求項３】
前記分子構造表示手段は、前記残基番号および原子タイプを指定した後、指定された残基番号および原子タイプに合わせてスペクトル領域の表示を連動させるスペクトル連動表示命令を前記スペクトル表示手段に対して出力する機能を有し、
前記スペクトル表示手段は、前記分子構造表示手段からスペクトル連動表示命令を入力すると、前記指定された残基番号および原子タイプに合わせて該当するスペクトル領域を連動させて表示することを特徴とする請求項１または２に記載のＮＭＲ構造解析システム。
【請求項４】
前記スペクトル表示手段は、２次元スペクトル上から所望のシグナル表示部分を指定した後、指定されたシグナルに対応するスペクトル領域を連動せて表示させるスペクトル領域表示機能を有することを特徴とする請求項１〜３のいずれか一つに記載のＮＭＲ構造解析システム。
【請求項５】
前記分子構造表示手段は、分子構造から所望の原子間の結合部分、所望のＮＯＥ情報または所望の距離制限情報を指定した後、指定された部分に対応するスペクトル領域を連動させて表示させるスペクトル領域表示命令を前記スペクトル表示手段に対して出力する機能を有し、
前記スペクトル表示手段は、前記分子構造表示手段からスペクトル領域表示命令を入力すると、前記指定された部分に合わせて該当するスペクトル領域を表示することを特徴とする請求項１〜４のいずれが一つに記載のＮＭＲ構造解析システム。
【請求項６】
前記記憶手段は、構造解析に使用する各スペクトルを15Ｎシグナル系、13Ｃアリファティック系、13Ｃアロマティック系などに分類するための属性をスペクトル毎に対応させて記憶しており、
前記主鎖シグナル帰属手段、側鎖シグナル帰属手段、立体構造計算評価手段および分子構造表示手段は、前記スペクトル連動表示命令またはスペクトル領域表示命令を出力する際に、処理の対象であるスペクトルの属性を前記記憶手段から取得し、同一属性のスペクトルの表示のみを指定することを特徴とする請求項１〜５のいずれが一つに記載のＮＭＲ構造解析システム。
【請求項７】
前記主鎖シグナル帰属手段および側鎖シグナル帰属手段は、スペクトル連動表示命令によって表示されたスペクトル領域の表示に対して、表示面をＸ軸―Ｙ軸、奥行きをＺ軸とした場合に、Ｚ軸方向をＸ軸方向に９０度フリップさせる９０度フリップ命令を出力する機能を有し、
前記スペクトル表示手段は、前記９０度フリップ命令を入力すると、Ｚ軸方向をＸ軸方向に９０度フリップさせて表示することを特徴とする請求項１〜６のいずれが一つに記載のＮＭＲ構造解析システム。
【請求項８】
核磁気共鳴法（ＮＭＲ）を用いてタンパク質の立体構造を決定するＮＭＲ構造解析方法において、
構造解析に使用する各スペクトルを少なくとも15Ｎシグナル系、13Ｃアリファティック系、13Ｃアロマティック系に分類して属性として定義しておき、ＮＭＲ構造解析におけるタンパク質の主鎖系シグナルの帰属処理、タンパク質の側鎖系シグナルの帰属処理、立体構造計算処理および立体構造評価処理を行う際に、解析中のスペクトルの残基番号、原子タイプ、化学シフト値などの特定要素を指定することにより、指定された特定要素に基づいて、解析中のスペクトルと同一属性を有するスペクトルの表示領域を連動させて表示することを特徴とするＮＭＲ構造解析方法。
【請求項９】
請求項１〜７のいずれか一つに記載されたＮＭＲ構造解析システムの各手段をコンピュータに実行させることを特徴とするコンピュータが読取可能なＮＭＲ構造解析プログラム。
【発明の詳細な説明】
【技術分野】
【０００１】
本発明は、核磁気共鳴法（ＮＭＲ）を用いてタンパク質の立体構造を決定するＮＭＲ構造解析システム、ＮＭＲ構造解析方法およびＮＭＲ構造解析プログラムに関し、特に、利用者がマニュアルでＮＭＲシグナルの帰属や、計算されたタンパク質の立体構造を評価する際の利便性を向上させたＮＭＲ構造解析システム、ＮＭＲ構造解析方法およびＮＭＲ構造解析プログラムに関するものである。
【背景技術】
【０００２】
従来、核磁気共鳴法（ＮＭＲ）によるタンパク質の立体構造決定は、以下に示すような大まかに分けて６つの行程を経て達成されている（特許文献１）。
１）ＮＭＲスペクトルの測定
２）ＮＭＲスペクトルデータのフーリエ変換処理
３）全ＮＭＲシグナルの帰属
４）核オーバーハウザー効果（ＮＯＥ）シグナルの帰属
５）ＮＯＥ情報に基づいた立体構造計算
６）計算された構造の評価
【０００３】
これらの解析行程のうち３）および６）は一般的に解析者がマニュアルで、すなわち自動解析ソフトなどを用いることなく行われ、大変時間のかかる作業であった。具体的には、アミノ酸１００残基程度のタンパク質の場合、プロトンシグナルは１５００−２０００個、炭素シグナルは４００−５００個、窒素シグナルは１００−１５０個程度存在している。これらのシグナルを主に３次元のスペクトルを２次元スライス表示させて、それらが残基内あるいは残基間でスピン結合している情報を慎重に１つずつ調べながら帰属していくという、気の遠くなるような作業を行わねばならないのが普通である。
【０００４】
また帰属の正しさをスピン系、アミノ酸配列と照らし合わせながら確認したり、行程５）によって得られた立体構造と帰属されたシグナルの整合性を繰り返し確認する必要があり、作業のために必要な時間は途方もないものとなる。
【０００５】
このようにシグナルの帰属は時間を大変消耗する作業であるため、プログラムによる自動化が進められてきているが、実際のスペクトル上には多くのアーティファクトシグナルが混在していたり、緩和やスピン拡散などによりシグナル強度の定量性が失われるなど自動的な解析を困難にする要素が大変多い。このためＮＭＲ構造解析全ての行程を完全に自動化するには乗り越えなければならない多くの問題がある。
【０００６】
また、従来のＮＭＲ構造解析システムとして、例えば、利用者（解析者）がＮＭＲスペクトルのある領域だけを指定してストリップ表示させるシステムや、あるいは異なる２つないし３つのスペクトル同士を重ね合わせ表示させることにより解析の効率を図ったシステムが提供されている。また、ストリップ表示を採用させた方法を搭載させ、ユーザーの指定によって連動させるものもいくつか発表されている。
【０００７】
【特許文献１】特開２００３−１３９８３２号公報
【発明の開示】
【発明が解決しようとする課題】
【０００８】
しかしながら、上記従来の技術によれば、１０数個もの多くのスペクトルを用いた解析を行おうとするとマニュアルでの操作が煩雑になるため、作業効率が悪く、時間がかかるという問題点や、３つ以上のスペクトルを重ね合わせしたものに関しては却って複雑な表示になってしまい、帰属の正しさを迅速に確認したり、帰属の誤りを迅速に見つけ出すことが困難であるという問題点や、また解析者の精神的、肉体的負担が大きいという問題点があった。換言すれば、従来の技術では、近年の高速さを要求される構造解析には応えることができなかった。
【０００９】
本発明は、上記に鑑みてなされたものであって、マニュアルでシグナルを帰属する効率を上げることができ、部分的に自動化された機能と併用することで帰属の正しさを迅速に確認し、あるいは帰属の誤りを迅速に見出せるＮＭＲ構造解析システム，ＮＭＲ構造解析方法およびＮＭＲ構造解析プログラムを提供することを目的とする。
【課題を解決するための手段】
【００１０】
上述した課題を解決し、目的を達成するために、本発明のＮＭＲ構造解析システムは、ＮＭＲスペクトルのスペクトル領域を表示するスペクトル表示手段と、タンパク質の主鎖系シグナルの帰属処理を行う主鎖シグナル帰属手段と、タンパク質の側鎖系シグナルの帰属処理を行う側鎖シグナル帰属手段と、核オーバーハウザー効果（ＮＯＥ）シグナルの帰属処理を行うＮＯＥ帰属手段と、ＮＯＥ帰属手段の帰属処理で生成されたＮＯＥ情報に基づいて立体構造計算および評価を行う立体構造計算評価手段と、立体構造計算評価手段により得られた分子の立体構造を３次元的に表示する分子構造表示手段とを少なくとも有し、核磁気共鳴法（ＮＭＲ）を用いてタンパク質の立体構造を決定するＮＭＲ構造解析システムにおいて、構造解析に使用する各スペクトルの有するシグナル毎に、固有のＩＤ番号、残基番号、原子タイプおよび化学シフト値といったＮＭＲ情報に基づく値を記憶した記憶手段をさらに備え、前記主鎖シグナル帰属手段、側鎖シグナル帰属手段および立体構造計算評価手段は、前記残基番号および原子タイプを指定した後、指定された残基番号および原子タイプに合わせてスペクトル領域の表示を連動させるスペクトル連動表示命令を前記スペクトル表示手段および分子構造表示手段に対して出力する機能を有し、前記スペクトル表示手段は、前記スペクトル連動表示命令を入力すると、前記指定された残基番号および原子タイプに合わせて該当するスペクトル領域を連動させて表示し、前記分子構造表示手段は、前記スペクトル連動表示命令を入力すると、前記指定された残基番号および原子タイプに連動させて、分子構造の該当する結合部位を表示領域の中心に表示することを特徴とする。
【００１１】
この発明によれば、主鎖シグナル帰属手段、側鎖シグナル帰属手段または立体構造計算評価手段において、所望の残基番号および原子タイプを指定してスペクトル連動表示命令を出力すると、スペクトル表示手段が、指定された残基番号および原子タイプに合わせて該当するスペクトル領域を連動させて表示し、分子構造表示手段が、指定された残基番号および原子タイプに連動させて、分子構造の該当する結合部位を表示領域の中心に表示する。
【００１２】
また、本発明のＮＭＲ構造解析システムは、２次元スペクトルおよび３次元スペクトルのスペクトル領域を表示するスペクトル表示手段と、タンパク質の主鎖系シグナルの帰属処理を行う主鎖シグナル帰属手段と、タンパク質の側鎖系シグナルの帰属処理を行う側鎖シグナル帰属手段と、核オーバーハウザー効果（ＮＯＥ）シグナルの帰属処理を行うＮＯＥ帰属手段と、ＮＯＥ帰属手段の帰属処理で生成されたＮＯＥ情報に基づいて立体構造計算および評価を行う立体構造計算評価手段と、立体構造計算評価手段により得られた分子の立体構造を３次元的に表示する分子構造表示手段とを少なくとも有し、核磁気共鳴法（ＮＭＲ）を用いてタンパク質の立体構造を決定するＮＭＲ構造解析システムにおいて、構造解析に使用する各スペクトルの有するシグナル毎に、固有のＩＤ番号、残基番号、原子タイプおよび化学シフト値といったＮＭＲ情報に基づく値を記憶した記憶手段をさらに備え、前記主鎖シグナル帰属手段、側鎖シグナル帰属手段および立体構造計算評価手段は、前記残基番号および原子タイプを指定した後、指定された残基番号および原子タイプに合わせてスペクトル領域の表示を連動させるスペクトル連動表示命令を前記スペクトル表示手段および分子構造表示手段に対して出力する機能を有し、前記スペクトル表示手段は、前記スペクトル連動表示命令を入力すると、前記指定された残基番号および原子タイプに合わせて該当するスペクトル領域を連動させて表示し、前記分子構造表示手段は、前記スペクトル連動表示命令を入力すると、前記指定された残基番号および原子タイプに連動させて、分子構造の該当する結合部位を表示領域の中心に表示することを特徴とする。
【００１３】
この発明によれば、主鎖シグナル帰属手段、側鎖シグナル帰属手段または立体構造計算評価手段において、所望の残基番号および原子タイプを指定してスペクトル連動表示命令を出力すると、スペクトル表示手段が、指定された残基番号および原子タイプに合わせて該当するスペクトル領域を連動させて表示し、分子構造表示手段が、指定された残基番号および原子タイプに連動させて、分子構造の該当する結合部位を表示領域の中心に表示する。
【００１４】
また、本発明のＮＭＲ構造解析システムは、請求項１または２に記載のＮＭＲ構造解析システムにおいて、前記分子構造表示手段が、前記残基番号および原子タイプを指定した後、指定された残基番号および原子タイプに合わせてスペクトル領域の表示を連動させるスペクトル連動表示命令を前記スペクトル表示手段に対して出力する機能を有し、前記スペクトル表示手段が、前記分子構造表示手段からスペクトル連動表示命令を入力すると、前記指定された残基番号および原子タイプに合わせて該当するスペクトル領域を連動させて表示することを特徴とする。
【００１５】
この発明によれば、分子構造表示手段において、所望の残基番号および原子タイプを指定してスペクトル連動表示命令を出力すると、スペクトル表示手段が、指定された残基番号および原子タイプに合わせて該当するスペクトル領域を連動させて表示する。
【００１６】
また、本発明のＮＭＲ構造解析システムは、請求項１〜３のいずれが一つに記載のＮＭＲ構造解析システムにおいて、前記スペクトル表示手段が、２次元スペクトル上から所望のシグナル表示部分を指定した後、指定されたシグナルに対応するスペクトル領域を連動させて表示させるスペクトル領域表示機能を有することを特徴とする。
【００１７】
この発明によれば、スペクトル表示手段で、２次元スペクトル上から所望のシグナル表示部分を指定すると、指定されたシグナルに対応するスペクトル領域が表示される。
【００１８】
また、本発明のＮＭＲ構造解析システムは、請求項１〜４のいずれが一つに記載のＮＭＲ構造解析システムにおいて、前記分子構造表示手段が、分子構造から所望の原子間の結合部分、所望のＮＯＥ情報または所望の距離制限情報を指定した後、指定された部分に対応するスペクトル領域を連動させて表示させるスペクトル領域表示命令を前記スペクトル表示手段に対して出力する機能を有し、前記スペクトル表示手段が、前記分子構造表示手段からスペクトル領域表示命令を入力すると、前記指定された部分に合わせて該当するスペクトル領域を表示することを特徴とする。
【００１９】
この発明によれば、分子構造表示手段において、分子構造から所望の結合部分を指定してスペクトル領域表示命令を出力すると、スペクトル表示手段が、指定された部分に合わせて該当するスペクトル領域を表示する。
【００２０】
また、本発明のＮＭＲ構造解析システムは、請求項１〜５のいずれが一つに記載のＮＭＲ構造解析システムにおいて、前記記憶手段が、構造解析に使用する各スペクトルを15Ｎシグナル系、13Ｃアリファティック系、13Ｃアロマティック系などに分類するための属性をスペクトル毎に対応させて記憶しており、前記主鎖シグナル帰属手段、側鎖シグナル帰属手段、立体構造計算評価手段および分子構造表示手段が、前記スペクトル連動表示命令またはスペクトル領域表示命令を出力する際に、処理の対象であるスペクトルの属性を前記記憶手段から取得し、同一属性のスペクトルの表示のみを指定することを特徴とする。
【００２１】
この発明によれば、主鎖シグナル帰属手段、側鎖シグナル帰属手段、立体構造計算評価手段および分子構造表示手段は、スペクトル連動表示命令またはスペクトル領域表示命令を出力する際に、処理の対象であるスペクトルの属性を記憶手段から取得し、同一属性のスペクトルの表示のみを指定する。したがって、属性に基づいて、15Ｎシグナル系のスペクトル群、13Ｃアリファティック系のスペクトル群、13Ｃアロマティック系のスペクトル群のいずれかが連動して表示される。
【００２２】
また、本発明のＮＭＲ構造解析システムは、請求項１〜６のいずれが一つに記載のＮＭＲ構造解析システムにおいて、前記主鎖シグナル帰属手段および側鎖シグナル帰属手段が、スペクトル連動表示命令によって表示されたスペクトル領域の表示に対して、表示面をＸ軸―Ｙ軸、奥行きをＺ軸とした場合に、Ｚ軸方向をＸ軸方向に９０度フリップさせる９０度フリップ命令を出力する機能を有し、前記スペクトル表示手段が、前記９０度フリップ命令を入力すると、Ｚ軸方向をＸ軸方向に９０度フリップさせて表示することを特徴とする。
【００２３】
この発明によれば、主鎖シグナル帰属手段および側鎖シグナル帰属手段が９０度フリップ命令を出力すると、スペクトル表示手段が、Ｚ軸方向をＸ軸方向に９０度フリップさせて表示する。
【００２４】
また、本発明のＮＭＲ構造解析方法は、核磁気共鳴法（ＮＭＲ）を用いてタンパク質の立体構造を決定するＮＭＲ構造解析方法において、構造解析に使用する各スペクトルを少なくとも15Ｎシグナル系、13Ｃアリファティック系、13Ｃアロマティック系に分類して属性として定義しておき、ＮＭＲ構造解析におけるタンパク質の主鎖系シグナルの帰属処理、タンパク質の側鎖系シグナルの帰属処理、立体構造計算処理および立体構造評価処理を行う際に、解析中のスペクトルの残基番号、原子タイプ、化学シフト値などの特定要素を指定することにより、指定された特定要素に基づいて、解析中のスペクトルと同一属性を有するスペクトルの表示領域を連動させて表示することを特徴とする。
【００２５】
この発明によれば、解析中のスペクトルの残基番号、原子タイプ、化学シフト値などの特定要素を指定することにより、指定された特定要素に基づいて、解析中のスペクトルと同一属性を有するスペクトルの表示領域が連動して表示される。
【００２６】
また、本発明のコンピュータが読取可能なＮＭＲ構造解析プログラムは、請求項１〜７のいずれか一つに記載されたＮＭＲ構造解析システムの各手段をコンピュータに実行させることを特徴とする。
【００２７】
この発明によれば、請求項１〜７のいずれか一つに記載されたＮＭＲ構造解析システムの各手段をコンピュータに実行させることができる。
【発明の効果】
【００２８】
本発明にかかるＮＭＲ構造解析システムは、主鎖シグナル帰属手段、側鎖シグナル帰属手段または立体構造計算評価手段において、所望の残基番号および原子タイプを指定してスペクトル連動表示命令を出力すると、スペクトル表示手段が、指定された残基番号および原子タイプに合わせて該当するスペクトル領域を連動させて表示し、分子構造表示手段が、指定された残基番号および原子タイプに連動させて、分子構造の該当する結合部位を表示領域の中心に表示するため、解析者はスペクトル中に混在するアーティファクトやノイズ等に惑わされること無く、あたかも解析に必要なシグナルのみを目で追いながら作業をしているという心理的状態になり、視覚的にシグナルを容易に追跡することが可能になる。これにより解析の効率が極めて向上するばかりでなく、解析者の精神的、肉体的負担を大きく軽減できる。換言すれば、マニュアルでシグナルを帰属する効率を上げることができ、部分的に自動化された機能と併用することで帰属の正しさを迅速に確認し、あるいは帰属の誤りを迅速に見出せるという効果を奏する。
【００２９】
本発明にかかるＮＭＲ構造解析システムは、分子構造表示手段において、所望の残基番号および原子タイプを指定してスペクトル連動表示命令を出力すると、スペクトル表示手段が、指定された残基番号および原子タイプに合わせて該当するスペクトル領域を連動させて表示するため、分子構造の表示状態から容易に所望のスペクトル領域を連動させて表示させることができ、さらに帰属の正しさを迅速に確認し、あるいは帰属の誤りを迅速に見出すことができる。
【００３０】
この発明によれば、スペクトル表示手段で、２次元スペクトル上から所望のシグナル表示部分を指定すると、指定されたシグナルに対応するスペクトル領域を連動して表示されるため、さらに作業効率の向上を図ることができ、解析に必要なシグナルのみを目で追いながら作業でき、これにより視認性の向上を図ることができる。
【００３１】
この発明によれば、分子構造表示手段において、分子構造から所望の結合部分を指定してスペクトル領域表示命令を出力すると、スペクトル表示手段が、指定された部分に合わせて該当するスペクトル領域を連動させて表示するため、さらに作業効率の向上を図ることができ、解析に必要なシグナルのみを目で追いながら作業でき、これにより視認性の向上を図ることができる。
【００３２】
この発明によれば、主鎖シグナル帰属手段、側鎖シグナル帰属手段、立体構造計算評価手段および分子構造表示手段は、スペクトル連動表示命令またはスペクトル領域表示命令を出力する際に、処理の対象であるスペクトルの属性を記憶手段から取得し、同一属性のスペクトルの表示のみを指定する。したがって、属性に基づいて、15Ｎシグナル系のスペクトル群、13Ｃアリファティック系のスペクトル群、13Ｃアロマティック系のスペクトル群のいずれかが連動して表示されるため、さらに作業効率の向上を図ることができ、解析に必要なスペクトル群のみを目で追いながら作業でき、これにより視認性の向上を図ることができる。
【００３３】
この発明によれば、主鎖シグナル帰属手段および側鎖シグナル帰属手段が９０度フリップ命令を出力すると、スペクトル表示手段が、Ｚ軸方向をＸ軸方向に９０度フリップさせて表示するため、さらに作業効率の向上を図ることができる。
【００３４】
本発明にかかるＮＭＲ構造解析方法は、解析中のスペクトルの残基番号、原子タイプ、化学シフト値などの特定要素を指定することにより、指定された特定要素に基づいて、解析中のスペクトルと同一属性を有するスペクトルの表示領域を連動させて表示するので、解析者はスペクトル中に混在するアーティファクトやノイズ等に惑わされること無く、あたかも解析に必要なシグナルのみを目で追いながら作業をしているという心理的状態になり、視覚的にシグナルを容易に追跡することが可能になる。これにより解析の効率が極めて向上するばかりでなく、解析者の精神的、肉体的負担を大きく軽減できる。換言すれば、マニュアルでシグナルを帰属する効率を上げることができ、部分的に自動化された機能と併用することで帰属の正しさを迅速に確認し、あるいは帰属の誤りを迅速に見出せるという効果を奏する。
【００３５】
この発明によれば、請求項１〜６のいずれか一つに記載されたＮＭＲ構造解析システムの各手段をコンピュータに実行させることができる。
【発明を実施するための最良の形態】
【００３６】
以下に、本発明にかかるＮＭＲ構造解析システム，ＮＭＲ構造解析方法およびＮＭＲ構造解析プログラムの実施例を図面に基づいて詳細に説明する。なお、この実施例によりこの発明が限定されるものではない。
【実施例】
【００３７】
本実施例のＮＭＲ構造解析システムは、プログラムの形態で提供され、ワークステーションなどのコンピュータ装置に搭載されて実行されることで、その機能を提供する。以下、（１）本実施例のＮＭＲ構造解析システムの概略構成、（２）本実施例のシンクジャンプ命令およびクリックアンドジャンプ命令、（３）スペクトルの属性設定、（４）各モジュールにおけるシンクジャンプ命令の入力、の順に詳細に説明する。
【００３８】
（１）本実施例のＮＭＲ構造解析システムの概略構成
図１は、本実施例のＮＭＲ構造解析システムのモジュールの概略構成図を示し、ＮＭＲスペクトルである２次元スペクトルおよび３次元スペクトルのスペクトル領域を表示するスペクトル表示手段としてのスペクトルビューアー１０と、タンパク質の主鎖系シグナルの帰属処理を行う主鎖シグナル帰属手段としての主鎖シグナル帰属用モジュール２０と、タンパク質の側鎖系シグナルの帰属処理を行う側鎖シグナル帰属手段としての側鎖シグナル帰属用モジュール３０と、核オーバーハウザー効果（ＮＯＥ）シグナルの帰属処理を行うＮＯＥ帰属手段としてのＮＯＥ帰属用モジュール４０と、ＮＯＥ帰属用モジュール４０の帰属処理で生成されたＮＯＥ情報に基づいて立体構造計算および評価を行う立体構造計算評価手段としての構造計算評価モジュール５０と、構造計算評価モジュール５０により得られた分子の立体構造を３次元的に表示する分子構造表示手段としてのモレキュラービュアー６０と、構造解析に使用する各スペクトルの有するシグナル毎に、固有のＩＤ番号、残基番号、原子タイプおよび化学シフト値といったＮＭＲ情報に基づく値を記憶した記憶手段としての役割を有ると共に化学シフトデータの入力、微調整を行う化学シフト管理用モジュール７０と、から構成される。
【００３９】
なお、スペクトルビューアー１０は、その内部に15Ｎ系スペクトル群を管理するプログラムと、13Ｃ系スペクトル群を管理するプログラムを有している。また、図中のクリックアンドジャンプモードの２ＤＨＳＱＣスペクトル管理用モジュール８０はスペクトルビューアー１０の一部であるが、ここでは後述するクリックアンドジャンプ（以下、Ｃ＆Ｊとも記す）命令の発生（出力）と実行（入力）を分かりやすくするために一つのモジュールとして表記する。
【００４０】
さらに、主鎖シグナル帰属用モジュール２０および側鎖シグナル帰属用モジュール３０は、９０度フリップ命令を生成する機能を有している。９０度フリップ命令とは、スペクトル領域の表示に対して、表示面をＸ軸―Ｙ軸、奥行きをＺ軸とした場合に、15Ｎ核あるいは13Ｃ核方向をＸ軸方向に９０度フリップさせる命令である。スペクトルビューアー１０は、９０度フリップ命令を入力すると、奥行きに対応している15Ｎ核あるいは13Ｃ核方向をＸ軸方向に９０度フリップさせて表示させる。
【００４１】
本実施例のＮＭＲ構造解析システムのソフトウエアとしての最大の特徴はシンクジャンプ命令とそのネットワークにある。詳細は後述するがシンクジャンプ命令とは、スペクトルビューアー１０およびモレキュラービュアー６０に対してユーザーが希望するスペクトル領域あるいは分子上のプロトンなどに連動させながらジャンプさせる命令である。スペクトルビューアー１０およびモレキュラービュアー６０は、それらを取り囲むように配置されている管理用モジュール群によりコントロールを受けるというネットワーク構造が存在する。管理用モジュール群は直接入力あるいはモジュール上のスペクトルあるいは分子モデルをクリックすることでシンクジャンプ命令を発生させることが出来る。
【００４２】
具体的には、主鎖シグナル帰属用モジュール２０、側鎖シグナル帰属用モジュール３０および構造計算評価モジュール５０は、残基番号および原子タイプを指定した後、指定された残基番号および原子タイプに合わせてスペクトル領域の表示を連動させるシンクジャンプ命令（本発明のスペクトル連動表示命令）を発生させ、スペクトルビューアー１０およびモレキュラービュアー６０に対して出力する機能を有している。
【００４３】
このシンクジャンプ命令を入力すると、スペクトルビューアー１０は、指定された残基番号および原子タイプに合わせて該当するスペクトル領域を連動させてストリップ表示する。また、シンクジャンプ命令を入力すると、モレキュラービュアー６０は、指定された残基番号および原子タイプに連動させて、分子構造の該当する結合部位を表示領域の中心に表示する。
【００４４】
また、モレキュラービュアー６０からもスペクトルビューアー１０に対してシンクジャンプ命令を出力することが可能な構成である。モレキュラービュアー６０において、残基番号および原子タイプを指定した後、指定された残基番号および原子タイプに合わせてスペクトル領域の表示を連動させるシンクジャンプ命令を生成して出力すると、スペクトルビューアー１０は、指定された残基番号および原子タイプに合わせて該当するスペクトル領域を連動させて表示する。
【００４５】
また、スペクトルビューアー１０の一部であるＣ＆Ｊモードの２ＤＨＳＱＣスペクトル管理用モジュール８０は、２次元スペクトル上から所望のシグナル表示部分を指定すると、クリックアンドジャンプ命令を生成する機能を有し、クリックアンドジャンプ命令が生成されると、スペクトルビューアー１０は、指定されたシグナルに対応するスペクトル領域を連動させて表示させる。
【００４６】
また、モレキュラービュアー６０は、分子構造から所望の原子間の結合部分、所望のＮＯＥ情報または所望の距離制限情報を指定した後、指定された部分に対応するスペクトル領域を連動させて表示させるクリックアンドジャンプ命令をスペクトルビューアー１０に対して出力する機能を有し、スペクトルビューアー１０は、モレキュラービュアー６０からクリックアンドジャンプ命令を入力すると、指定された部分に合わせて該当するスペクトル領域を連動させて表示する。
【００４７】
なお、化学シフト管理用モジュール７０は、構造解析に使用する各スペクトルを15Ｎシグナル系、13Ｃアリファティック系、13Ｃアロマティック系などに分類するための属性をスペクトル毎に対応させて記憶しており、前述したシンクジャンプ命令およびクリックアンドジャンプ命令を生成して出力する機能を有するモジュール群は、シンクジャンプ命令またはクリックアンドジャンプ命令を生成する際に、処理の対象であるスペクトルの属性を化学シフト管理用モジュール７０から取得し、同一属性のスペクトルの表示のみを指定する。これによって、解析によって必要と判断されるスペクトルがシンクジャンプ命令によってポップアップされ、あるいは必要と判断される領域にジャンプさせられる。
【００４８】
図２−１は、属性が15Ｎシグナル系の場合に生成される15Ｎ系シンクジャンプ命令の出力と入力を矢印で図示したものであり、15Ｎ系シンクジャンプ命令はスペクトルビューアー１０の15Ｎ系スペクトルへ入力される。また、図２−２は、属性が13Ｃアリファティック系、13Ｃアロマティック系の場合に生成される13Ｃ系シンクジャンプ命令の出力と入力を矢印で図示したものであり、13Ｃ系シンクジャンプ命令はスペクトルビューアー１０の13Ｃ系スペクトルへ入力される。図２−３は、クリックアンドジャンプ命令による15Ｎ系シンクジャンプ命令および１３Ｃ系シンクジャンプ命令の出力と入力を矢印で示したものであり、同様に15Ｎ系シンクジャンプ命令はスペクトルビューアー１０の15Ｎ系スペクトルへ入力され、13Ｃ系シンクジャンプ命令はスペクトルビューアー１０の13Ｃ系スペクトルへ入力される。
【００４９】
（２）実施例のシンクジャンプ命令およびクリックアンドジャンプ命令
本実施例におけるシンクジャンプ命令およびクリックアンドジャンプ命令はそれを支える機能群によって有効に働くよう設計されている。
図３は、どのような行程を経てシンクジャンプ命令を発生し、スペクトルの連動表示（これをシンクジャンプと呼ぶことがある）が行われるかを示したフローチャートである。大きく分けて以下のような３つの様式がシンクジャンプにある。
【００５０】
１）管理モジュール群およびモレキュラービュアーと被シンクジャンプモードにある２Ｄ  あるいは３Ｄスペクトル
２）管理モジュール群と被シンクジャンプモードにあるモレキュラービュアー
３）クリックアンドジャンプモードの２Ｄスペクトルと被シンクジャンプモードにある２  Ｄあるいは３Ｄスペクトル
【００５１】
これら３つの様式も化学シフトベースと残基番号、原子タイプベースの２つに大別される。後者は呼んで字のごとくユーザーが指定する残基番号、原子タイプに対応するスペクトル領域あるいは分子モデル上の部位を表示する。前者においてはユーザーがクリックアンドジャンプモードにある２Ｄスペクトル上のある点を指定したとき読み取られる化学シフトに対してジャンプさせるものであるが、ジャンプまでの行程に以下のような前処理行程をいくつか含んでいるのが特徴である。
【００５２】
ａ）化学シフトテーブル参照
この行程では入力された残基番号、原子タイプを元に、ジャンプさせるべきスペクトル領域の化学シフト値を化学シフト管理用モジュール７０に登録されている化学シフトテーブルから呼び出す。通常入力される原子のタイプは水素核であるが、その際にプログラムは入力された原子タイプから対応するシンクジャンプのモードを自動的に判断する。判定法としては残基番号からアミノ酸タイプを判別し、入力された水素核に直接結合している核種を決定する。同定された核種が窒素核の場合15Ｎ系、炭素核であり、芳香環に属さない核である場合13Ｃアリファティック系、炭素核であり、芳香環に属する核の場合13Ｃアロマティック系としてのシンクジャンプ命令と判別される。その後水素核、および窒素核あるいは炭素核に対応する化学シフトが読み出され、表示されるスペクトルストリップのｘ軸、ｚ軸に対応する化学シフト値として続く行程に送られる。
【００５３】
ｂ）スペクトルパラメータ最適化
各スペクトル固有のパラメータとして測定スペクトル幅、測定スペクトルオフセットがあり、各スペクトルで微調整する必要がある。プログラムはあらかじめ登録されているこれらパラメータに対する微調整値を使用する。またストリップ表示を行うためのパラメータとして、ｘ軸、y軸のスペクトル幅、ノイズラインの値もユーザーによりあらかじめ登録されている値を使用し、表示領域を自動的に調整する。
【００５４】
ｃ）スペクトル折り返し最適化
ｂ）の最適化の後、各スペクトルで測定範囲S(ppm)を超えた化学シフト値Z(ppm)がz軸方向に対して与えられた場合、スペクトルの折り返しが起こっているものと判定しプログラムは自動的に以下の式を用いて化学シフト値Zf、(ppm)折り返し回数ｎを得る。Fmin Fmaxはそれぞれスペクトルの最低磁場点、最高磁場点の化学シフトに相当する。
【００５５】
【数１】
2005180979.tif 000003
【００５６】
図３のフローチャートＴ１００は、管理モジュール群（主鎖シグナル帰属用モジュール２０、側鎖シグナル帰属用モジュール３０および構造計算評価モジュール５０）またはモレキュラービュアー６０で残基番号および原子タイプを指定した後、シンクジャンプ命令を発生させ、スペクトルビューアー１０に対して出力する行程を示している。
【００５７】
図３のフローチャートＴ２００は、管理モジュール群（主鎖シグナル帰属用モジュール２０、側鎖シグナル帰属用モジュール３０および構造計算評価モジュール５０）で残基番号および原子タイプを指定した後、シンクジャンプ命令を発生させ、モレキュラービュアー６０に対して出力する行程を示している。
【００５８】
図３のフローチャートＴ３００は、スペクトルビューアー１０の一部であるＣ＆Ｊモードの２ＤＨＳＱＣスペクトル管理用モジュール８０で、クリックアンドジャンプモードの２次元スペクトル上から所望のシグナル表示部分をクリックして、クリックアンドジャンプ命令を発生させ、スペクトルビューアー１０に対して出力する行程を示している。
【００５９】
（３）スペクトルの属性設定
次に、各スペクトルの属性の設定方法について説明する。本実施例では、スタートアップ画面において各スペクトルの属性を決める。
図４は、本実施例のＮＭＲ構造解析システムのスタートアップ画面１００を示し、スペクトル群を15Ｎ系、13Ｃアリファティック系、13Ｃアロマティック系の３つの属性に指定しているところを示している。ここで指定された属性にしたがって同調的にスペクトルが連動する、シンクジャンプ命令によるスペクトルの連動表示が可能な状態になる。このスタートアップ画面１００は、化学シフト管理用モジュール７０とリンクされており、ここで設定された各スペクトルの属性は化学シフト管理用モジュール７０によって保存される。
【００６０】
すなわち、図中に示すように設定した各スペクトルの属性は、アミノ酸残基番号、シグナルＩＤ番号、化学シフト、原子タイプなどから希望するスペクトル領域を複数のスペクトルで連動させて表示させる、シンクジャンプ命令が発生した際に、連動させるように希望するスペクトルに対して正確に指定する必要がある。
【００６１】
（４）各モジュールにおけるシンクジャンプ命令の入力
前述したよう主鎖シグナル帰属用モジュール２０、側鎖シグナル帰属用モジュール３０、モレキュラービュアー６０および構造計算評価モジュール５０は、全てユーザーが注目する残基の原子、あるいは原子間の結合、あるいは立体構造計算に用いた距離制限に対応する原子、あるいは自動ＮＯＥ帰属ソフトウエアによって出力されたＮＯＥ帰属結果に対応する原子をユーザーが指定することによりスペクトルの連動を発生させる機能を担当している。
【００６２】
主鎖シグナル帰属用モジュール２０は、15Ｎシグナル系のスペクトルの連動を主に管理し、1Ｈ−15Ｎ  ＨＳＱＣスペクトルで観測されるシグナルのうち主鎖アミドのシグナルを残基番号に関して、あるいは残基番号帰属前には任意につけられたＩＤ番号に関して、スペクトルを連動させる命令を発生させる。
【００６３】
図５−１は、主鎖シグナル帰属用モジュール２０の入力画面２００を示し、図５−２はＨＳＱＣスペクトルの表示画面２１０を示している。主鎖シグナル帰属用モジュール２０では、入力画面２００を用いて、主鎖のアミドプロトンに対してアミノ酸残基番号を指定したり、表示画面２１０に示すようなＨＳＱＣスペクトル上でのＩＤ番号にしたがって15Ｎ系に属するスペクトル全てを同調させて連動させることができる。
【００６４】
図６は、15Ｎ系に属する主鎖帰属用の３次元スペクトルであるHNCO, HN(CA)CO, HN(CO)CAおよび HNCAのスペクトルを示したものである。全てのスペクトルはシンクジャンプモードに設定されており、上記のモジュール等のコントロール下にある。図６では、ＩＤ番号が１０のアミドプロトンに対応するストリップ表示領域が示されている。それぞれのスペクトル上ではCO(i-1), CO(i), Ca(i-1), Ca(i)核に対応する化学シフト位置にピークが見られるのが分かる。
【００６５】
ユーザーはこれらのピーク位置を自動であるいは手動で読み取り、読み取られたそれぞれの核に対応する化学シフト値は化学シフト管理用モジュール７０にアミドプロトンのＩＤ番号ごとに記録されていく。手動で入力する際もそれぞれのスペクトルが完全に連動しているために容易にかつ迅速に正しい化学シフト値を入力したり、訂正したりすることが出来る。図６に示すスペクトルにおいては、化学シフト値が入力されている位置がスペクトル上に四角形の囲み（符号Ａ）として表示されるためユーザーは直ちに入力された値を確認することが出来る。通常の解析では主鎖アミドプロトンが全て同じ強度で観測されることは無く、他のピークと運悪く重なってしまうことも少なくない。解析の後半に置いてはこれらのピークを可能な限り見出し、主鎖帰属用の化学シフトテーブルを完全な形にしなければならない。ＨＳＱＣスペクトルがクリックアンドジャンプモードにあり、主鎖帰属用スペクトル群がシンクジャンプモードにある場合、スペクトル中にある任意の場所をマウスカーソルにより指定することでスペクトルを連動させることが出来る。この方法により解析中に改めて見出された主鎖アミドプロトンと思われるピークに対してスペクトルをジャンプさせることが出来、残されたピークの化学シフト入力を取りこぼすことなく、限りなく完全に近い状態にまで達成することが出来る。またこれらシンクジャンプモードにある３次元スペクトル群は全て２軸目と３軸目を入れ替える”90度フリップ”がボタンひとつで切り替えられるようになっており、極めて混み合っているスペクトル領域においても２軸目あるいは３軸目の僅かな化学シフト上のずれを利用してユーザーが入力すべきシグナルの位置を判断できるようになる。
【００６６】
図７は、化学シフト管理用モジュール７０の表示画面３００を示し、化学シフト管理用モジュール７０は入力されたCO(i-1), CO(i), Ca(i-1), Ca(i), Cb(i-1), Cb(i) 核に関して入力された化学シフト値を統合管理し、ユーザーが自動的にあるいは手動により主鎖帰属を完了できるように作成されている。
【００６７】
側鎖シグナル帰属用モジュール３０は、15Ｎシグナル系、および13Ｃシグナル系のスペクトルの連動を管理し、1Ｈ−15Ｎ ＨＳＱＣ スペクトルおよび1Ｈ−13Ｃ  ＨＳＱＣスペクトルで観測されるシグナルのうち主鎖アミド以外のシグナルを残基番号および側鎖の原子タイプにあわせてスペクトルを連動させるシンクジャンプ命令を発生させる。
【００６８】
図８は、側鎖シグナル帰属用モジュール３０の入力画面４００および入力画面４１０を示している。このモジュールは、側鎖のプロトンに対して、アミノ酸残基番号と13Ｃ核あるいは15Ｎ核のタイプにしたがって、13Ｃ核に結合したプロトンの場合13Ｃ系、あるいは15Ｎ核に結合したプロトンの場合は15Ｎ系に属するスペクトル全てを同調させて連動させることができる。入力画面４００はアミノ酸番号プロトンのタイプを入力するエントリーを持ち、ユーザーによる直接タイプと残基番号の増減ボタンあるいはリストボタンにより作成される入力画面４１０からのダブルクリックによりプロトンのタイプを指定しシンクジャンプ命令を発生させることが出来る。このモジュールには15Ｎシグナル系、13Ｃアリファティック系、13Ｃアロマティック系に対する９０度フリップ命令を発生することが出来る。
【００６９】
モレキュラービュアー６０は、構造計算により得られた立体構造を３次元的に表示させ、指定された残基番号および側鎖の原子タイプにあわせてスペクトルを連動させるシンクジャンプ命令を発生させる。
【００７０】
図９−１および図９−２は、分子模型表示機能を持ちながら先述したシンクジャンプ命令に対応、あるいはクリックアンドジャンプ命令を発生させる機能を持ったモレキュラービュアー６０の表示画面５００を示している。この表示画面５００は、ＮＭＲ解析により得られたより得られた構造情報を元に立体構造が計算され、ある程度の信頼できる構造が得られている段階にある構造を示したものである。
【００７１】
図９−１の表示画面５００では、モレキュラービュアー６０がシンクジャンプもモードとして機能している様子を示している。他の管理モジュールからシンクジャンプ命令が発生した際、15Ｎシグナル系、13Ｃアリファティック系、13Ｃアロマティック系に対応する全てのプロトンに対応する結合部位が中心になるように分子が移動し、その結合がハイライトで強調表示（符号Ｂ）される。なお、実際の画面上はカラー表示を用いているため、図においては強調表示が明確でないが、表示画面５００上の符号Ｂで示す中心に結合がハイライトされている。
【００７２】
また、図９−２は、モレキュラービュアー６０がクリックアンドジャンプモードになった際の状態を示したものである。この状態でユーザーが任意のプロトンと15Ｎあるいは13Ｃ核との間の結合部分をダブルクリックするとその結合に対応するシンクジャンプのスペクトル群が連動する仕組みになっている。この管理モジュールは立体構造計算において用いられたプロトン間の距離制限を表示させる機能を持ち、この距離制限に対応する直線をダブルクリックすることにより距離制限のもととなったスペクトル領域にシンクジャンプ命令を発生させることが出来る。この管理モジュールは主鎖構造上不自然な領域を色違いで表示することができ（Ramachandran plofile mode）、またプロトン間距離制限と結果として得られた構造での距離との差をバイオレーションと呼ぶが、このバイオレーションを色違いで表示することが出来る(Upper limit display mode)。自動NOE帰属ソフトウエアを用いた立体構造計算を行った場合、通常ソフトウエアは計算された立体構造と共にNOE帰属結果も出力する。この管理モジュールはNOE帰属結果から求められるプロトン間距離制限とバイオレーションをUpper limit display modeと同様に表示することが出来る(NOE assignments display mode)。これら３つのモードとクリックアンドジャンプを組み合わせることでユーザーは迅速に立体構造計算における問題点を抽出し、連動するスペクトル群を参照することで容易に問題解決の糸口を見出すことが出来る。
【００７３】
前述したように本実施例によれば、スペクトルの連動はシンクジャンプ命令が発生したと同時にグラフィック上でスペクトルが完全一致するように同調しながら行われる。このとき、連動させるスペクトル間で幾分かのオフセット周波数、スペクトル幅に対するずれが必ず生じるため、手動による微調整が各スペクトルごとに設定できるようにしている。これによりシンクジャンプモードを使用しながら解析を続けるうち、スペクトル間の化学シフト、あるいは帰属されたシグナルの化学シフトにおけるわずかなずれを容易に見出すことができ、修正もきわめて迅速に正確に行うことができる。
【００７４】
さらに、解析中ユーザーが注目していないスペクトルがある場合、これらのスペクトルはシンクジャンプ命令には反応しない。解析の場面で必要と判断されるスペクトルはプログラムが判断して自動的にシンクジャンプ命令によりポップアップさせられる、あるいは必要と判断される領域にジャンプさせられる。これら一連の連動機能によりユーザーはスペクトル中に混在するアーティファクトやノイズ等に惑わされること無く、あたかも解析に必要なシグナルのみを目で追いながら作業をしているという心理的状態になり、視覚的にシグナルを容易に追跡することが可能になる。これにより解析の効率が極めて向上するばかりでなく、解析者の精神的、肉体的負担を大きく軽減できる。
【産業上の利用可能性】
【００７５】
以上のように、本発明にかかるＮＭＲ構造解析システム，ＮＭＲ構造解析方法およびＮＭＲ構造解析プログラムは、タンパク質の構造解析に有用であり、特に、高速さを要求される構造解析に適している。
【図面の簡単な説明】
【００７６】
【図１】本実施例のＮＭＲ構造解析システムのモジュールの概略構成図である。
【図２−１】15Ｎ系シンクジャンプ命令の出力と入力を示す図である。
【図２−２】13Ｃ系シンクジャンプ命令の出力と入力を示す図である。
【図２−３】クリックアンドジャンプ命令による15Ｎ系シンクジャンプ命令および13Ｃ系シンクジャンプ命令の出力と入力を示す図である。
【図３】本実施例において、どのような行程を経てシンクジャンプ命令を発生し、スペクトルの連動表示が行われるかを示したフローチャートである。
【図４】本実施例のＮＭＲ構造解析システムのスタートアップ画面を示す図である。
【図５−１】主鎖シグナル帰属用モジュールの入力画面を示す図である。
【図５−２】ＨＳＱＣスペクトルの表示画面を示す図である。
【図６】15Ｎ系に属する主鎖帰属用の３次元スペクトルであるHNCO, HN(CA)CO, HN(CO)CAおよび HNCAのスペクトルを示した図である。
【図７】化学シフト管理用モジュールの表示画面を示す図である。
【図８】側鎖シグナル帰属用モジュールの入力画面および入力画面を示す図である。
【図９−１】モレキュラービュアーの表示画面を示す図である。
【図９−２】モレキュラービュアーの表示画面を示す図である。
【符号の説明】
【００７７】
１０  スペクトルビューアー
２０  主鎖シグナル帰属用モジュール
３０  側鎖シグナル帰属用モジュール
４０  ＮＯＥ帰属用モジュール
５０  構造計算評価モジュール
６０  モレキュラービュアー
７０  化学シフト管理用モジュール
８０  クリックアンドジャンプモードの２ＤＨＳＱＣスペクトル管理用モジュール
【図１】
2005180979.tif 000004
【図２−１】
2005180979.tif 000005
【図２−２】
2005180979.tif 000006
【図２−３】
2005180979.tif 000007
【図３】
2005180979.tif 000008
【図４】
2005180979.tif 000009
【図５−１】
2005180979.tif 000010
【図５−２】
2005180979.tif 000011
【図６】
2005180979.tif 000012
【図７】
2005180979.tif 000013
【図８】
2005180979.tif 000014
【図９−１】
2005180979.tif 000015
【図９−２】
2005180979.tif 000016